(57)【要約】      （修正有）【課題】Ｈ進数で乗法の原理を考えるとき基礎となる表（テーブル）があると便利であり、その他の数理を構築するためにも必要であった。【解決手段】９進数の掛け算九九を応用させ、Ｈ進数に拡張することによって（Ｈ進数−１８基数の−１０進法）の表を作成し、携帯に便利な携帯用シートとして利用して、数理及び計算の基礎（加減乗除）の一つである乗法について、乗法を拡張させるために煩雑になる計算などを行えるように、持ち運びが簡単なもの（ポータブルテーブル）として利用する。【選択図】図２
2008181470.tif 000002
【特許請求の範囲】
【請求項１】
特願２００６−３１４８５２（Ｈ進数−１８基数の−１０進法）の原理を元に、従来の掛け算九九（クク）を応用させて、０掛ける０からＨ掛けるＨまでの掛け算（ＨＨ）まで拡張し、それを表にする。
【請求項２】
請求項１の表をパーソナルコンピュータにより製作し、結果をプリントアウトする。プリントアウトは大量生産が可能であり、耐久性を考慮し、高分子フィルムを張ることにした。
【発明の詳細な説明】
【技術分野】
【０００１】数理の進数拡張とそれに基づく科学分野への応用と大量生産可能な携帯用の乗法シート
【背景技術】
【０００２】９進数をＨ進数に拡張することにより当然、加減乗除の拡張も必要とされる。そこで、乗法に着眼し、９進数の掛け算九九を応用させて、Ｈ進数に拡張することにより伴う基礎的な乗法も、ＨＨまで拡張し、構築しなければならない。そこでポータブル、ハンディーな表が欲しいためこれを作成した。ここで掛け算ＨＨは、特願２００６−３１４８５２（Ｈ進数−１８基数の−１０進法）の表を元に作成されたものである。
【発明の詳細な説明】
【発明が解決しようとする課題】
【０００３】Ｈ進数で乗法の原理を考えるとき基礎となる表（テーブル）があると便利であり、その他の数理を構築するためにも必要であり、これを補助表のひとつとしてこれ用いることを考案とする。また、Ａ−４版紙及びインスタント加工のプラスチックを利用し、耐久性がありどこへでも携帯でき、便利かつ簡単に扱えるものが必要だと考えられる。
【課題を解決するための手段】
【０００４】乗法を拡張させるために煩雑になる計算などがこの表を用いると役に立つ。煩雑な表を持ち運びが簡単なもの（ポータブルテーブル）として利用でき、その表は掛け算ＨＨという呼び名をつけリーゾナブルなものとする。また、この表は特願２００６−３１４８５２（Ｈ進数−１８基数の−１０進法）の定義より派生した携帯用シートである。
【発明の効果】
【０００５】新たな数理の道具として効果を発する。具体的には、数理の初等である乗法を行う際に便利に使用している。また、この表は量産が可能であり、あまり複雑なシステムを必要としないため、安価で第三者にも便利に提供できるという効果もある。
【発明を実施するための最良形態】
【０００６】特願２００６−３１４８５２（Ｈ進数−１８基数の−１０進法）の表を元に、掛け算ＨＨやその他数理をすべて比較しながら発展させていかなければならないと考えたため、専門家がまず、使用することが前提である。すなわち、１人では無理だと考えた。専門家が認め、使用し、発展させることが最良であると考える。
【作用】
【実施例】
【０００７】この表をもとに除法もすでに実施している。また、９進数で行われている数理を新たにＨ進数で追求しようとしている。
【符号の説明】
【０００８】特願２００６−３１４８５２（Ｈ進数−１８基数の−１０進法）の表を元にそれらの掛け算の初級の表を０×０からＨ×Ｈまで作成した。その名前に掛け算九九を利用し、これでも掛け算ＨＨ？（これでもかけざんエイチエイチ？）と命名し、括弧内の呼び方をする。
【図面の簡単な説明】
【０００９】
【図１】は紙面上に印刷された平面図である。
【図２】は正面、平面図である。（厚さは紙面とファイル以外ほとんどないものとする。）
【図１】
2008181470.tif 000003
【図２】
2008181470.tif 000004
【手続補正書】
【提出日】平成19年3月29日(2007.3.29)
【手続補正２】
【補正対象書類名】特許請求の範囲
【補正対象項目名】全文
【補正方法】変更
【補正の内容】
【特許請求の範囲】
【請求項１】
特願２００６−３１４８５２（Ｈ進数−１８基数の−１０進法）の原理を元に、従来の掛け算九九（クク）を応用させて、０掛ける０からＨ掛けるＨまでの掛け算（ＨＨ）まで拡張し、それを表にする。
【請求項２】
請求項１の表をパーソナルコンピュータにより製作し、結果をプリントアウトする。プリントアウトは大量生産が可能であり、耐久性を考慮し、高分子フィルムを張ることにした。
【手続補正３】
【補正対象書類名】明細書
【補正対象項目名】全文
【補正方法】変更
【補正の内容】
【発明の詳細な説明】
【技術分野】
【０００１】数理の進数拡張とそれに基づく科学分野への応用と大量生産可能な携帯用の乗法シート
【背景技術】
【０００２】９進数をＨ進数に拡張することにより当然、加減乗除の拡張も必要とされる。そこで、乗法に着眼し、９進数の掛け算九九を応用させて、Ｈ進数に拡張することにより伴う基礎的な乗法も、ＨＨまで拡張し、構築しなければならない。そこでポータブル、ハンディーな表が欲しいためこれを作成した。ここで掛け算ＨＨは、特願２００６−３１４８５２（Ｈ進数−１８基数の−１０進法）の表を元に作成されたものである。
【発明の詳細な説明】
【発明が解決しようとする課題】
【０００３】Ｈ進数で乗法の原理を考えるとき基礎となる表（テーブル）があると便利であり、その他の数理を構築するためにも必要であり、これを補助表のひとつとしてこれ用いることを考案とする。また、Ａ−４版紙及びインスタント加工のプラスチックを利用し、耐久性がありどこへでも携帯でき、便利かつ簡単に扱えるものが必要だと考えられる。
【課題を解決するための手段】
【０００４】乗法を拡張させるために煩雑になる計算などがこの表を用いると役に立つ。煩雑な表を持ち運びが簡単なもの（ポータブルテーブル）として利用でき、その表は掛け算ＨＨという呼び名をつけリーゾナブルなものとする。また、この表は特願２００６−３１４８５２（Ｈ進数−１８基数の−１０進法）の定義より派生した携帯用シートである。
【発明の効果】
【０００５】新たな数理の道具として効果を発する。具体的には、数理の初等である乗法を行う際に便利に使用している。また、この表は量産が可能であり、あまり複雑なシステムを必要としないため、安価で第三者にも便利に提供できるという効果もある。
【発明を実施するための最良形態】
【０００６】特願２００６−３１４８５２（Ｈ進数−１８基数の−１０進法）の表を元に、掛け算ＨＨやその他数理をすべて比較しながら発展させていかなければならないと考えたため、専門家がまず、使用することが前提である。すなわち、１人では無理だと考えた。専門家が認め、使用し、発展させることが最良であると考える。
【作用】
【実施例】
【０００７】この表をもとに除法もすでに実施している。また、９進数で行われている数理を新たにＨ進数で追求しようとしている。
【符号の説明】
【０００８】特願２００６−３１４８５２（Ｈ進数−１８基数の−１０進法）の表を元にそれらの掛け算の初級の表を０×０からＨ×Ｈまで作成した。
その名前に掛け算九九を利用し、これでも掛け算ＨＨ？（これでもかけざんエイチエイチ？）と命名し、括弧内の呼び方をする。
【図面の簡単な説明】
【０００９】
【図１】は紙面上に印刷された平面図である。
【図２】は正面、平面図である。（厚さは紙面とファイル以外ほとんどないものとする。）
【手続補正４】
【補正対象書類名】図面
【補正対象項目名】全図
【補正方法】変更
【補正の内容】
【図１】
2008181470.tif 000005
【図２】
2008181470.tif 000006